(57)【要約】【課題】  並列配置した複数の発熱体の下方空間の配分を最適化する。コンロの低背部の下方空間を利用してコンロから独立した種々のコンロ下組込機器もしくは家具部材ユニットを選択的に配置可能とする。【解決手段】  コンロ２のコンロ本体４を調理１台の上面に設けた上面開口１０から嵌め込んでコンロ本体４上に設けたコンロ天板５を調理台１の上面に露出させてコンロ付調理台装置を構成する。コンロ２に、複数の発熱体６を並列配置して設けると共に、各々の発熱体６に対応して各々の発熱体６を駆動する各々の駆動部７を内装する。コンロ本体４を、正面断面視で左右方向において高さ寸法が短い低背部８と高さ寸法が長い高背部９とに分かれるように形成する。上記コンロ２とは別体のコンロ下組込機器もしくは家具部材ユニット３を、調理台１の上記コンロ本体４の低背部８直下にコンロ２から独立して配置する。【選択図】        図１
2011024912.tif 000002
【特許請求の範囲】
【請求項１】
コンロのコンロ本体を調理台の上面に設けた上面開口から嵌め込んでコンロ本体上に設けたコンロ天板を調理台の上面に露出させたコンロ付調理台装置であって、コンロに、複数の発熱体を並列配置して設けると共に、各々の発熱体に対応して各々の発熱体を駆動する各々の駆動部を内装し、コンロ本体を、正面断面視で左右方向において高さ寸法が短い低背部と高さ寸法が長い高背部とに分かれるように形成し、上記コンロとは別体のコンロ下組込機器もしくは家具部材ユニットを、調理台の上記コンロ本体の低背部直下にコンロから独立して配置して成ることを特徴とするコンロ付調理台装置。
【請求項２】
上記コンロとは別体のコンロ下組込機器もしくは家具部材ユニットを、上記コンロ本体の低背部直下に対応した調理台の前面開口から嵌め込んで上記低背部直下に配置して成ることを特徴とする請求項１記載のコンロ付調理台装置。
【請求項３】
上記低背部の高さ寸法が調理台のカウンターの厚み寸法よりも小さいことを特徴とする請求項１又は請求項２記載のコンロ付調理台装置。
【請求項４】
調理台の低背部が嵌め込まれる部分の下方に上記のコンロ下組込機器もしくは家具部材ユニットの収容体函部材を配置して成ることを特徴とする請求項１乃至請求項３のいずれか一項に記載のコンロ付調理台装置。
【請求項５】
低背部に配置した発熱体が、高背部に配置した発熱体よりも小火力であることを特徴とする請求項１乃至請求項４のいずれか一項に記載のコンロ付調理台装置。
【請求項６】
平面視で、低背部の発熱体の中心が高背部の発熱体の中心よりも奥方向に位置していることを特徴とする請求項１乃至請求項５のいずれか一項に記載のコンロ付調理台装置。
【請求項７】
高背部の手前正面にコンロの操作部を設けて成ることを特徴とする請求項１乃至請求項６のいずれか一項に記載のコンロ付調理台装置。
【請求項８】
発熱体と該発熱体を駆動する駆動部を内装した低背部と、上記発熱体とは別の発熱体と該発熱体を駆動する別の駆動部を内装した高背部がそれぞれ独立したコンロ本体ブロックで形成され、前記各々のコンロ本体ブロックをコンロ天板に対して左右位置を組換えてコンロ天板及び両コンロ本体ブロックを一体化してコンロを構成して成ることを特徴とする請求項１乃至請求項７のいずれか一項に記載のコンロ付調理台装置。
【請求項９】
コンロ天板の手前側もしくはカウンターの発熱体の手前に作業仮置き部を設けて成ることを特徴とする請求項１乃至請求項８のいずれか一項に記載のコンロ付調理台装置。
【発明の詳細な説明】
【技術分野】
【０００１】
本発明は、コンロ付調理台装置に関する。
【背景技術】
【０００２】
従来のコンロは、箱状をしたコンロ本体上にコンロ天板を設けて構成してあり、コンロ本体内に、複数の発熱体と、各々の発熱体に対応して各々の発熱体を駆動する各々の駆動部を内装すると共に、更に、コンロ本体内を仕切って加熱庫（グリル）を内装することで、加熱庫付コンロを一体に構成している。
【０００３】
上記構成の加熱庫付コンロは、コンロ本体を調理台の上面に設けた上面開口から嵌め込むと共にコンロ天板を調理台上面に露出するように組み込んで取付けている。
【０００４】
また、上面部にコンロ天板を設けたコンロ本体の片側に開放部を形成し、該開放部にコンロ本体とは別体の加熱庫を配置して、外付けでコンロ本体に加熱庫を取付けて加熱庫付きコンロを構成するものが特許文献１により知られている。
【０００５】
この特許文献１に示された従来例の加熱庫付コンロは、コンロ本体に加熱庫を取付けて加熱庫付コンロを一体に構成したものであるから、加熱庫付コンロを調理台に取付けるに当たっては、コンロ本体とこれに取付けた加熱庫を、調理台の上面に設けた上面開口から嵌め込むと共に、コンロ天板を調理台上面に露出するように組み込んで取付けている。
【０００６】
上記いずれの従来例にあっても、コンロ本体内に加熱庫を一体に組み込むかまたは加熱庫を外付けで取付けて加熱庫付コンロを一体に構成するもので、該一体に構成した加熱庫付コンロは、正面断面視で左右方向において高さ寸法が同じ又はほぼ同じとなっていて、コンロの下方にコンロとは独立した余剰空間が存在しない。
【０００７】
従って、コンロの一部の下方に余剰空間を形成することで、該余剰空間にコンロ以外の他の種々のコンロ下組込機器もしくは家具部材ユニットをコンロに対して独立して選択的に配置可能とすることができず、コンロの近傍に種々のコンロ下組込機器もしくは家具部材ユニットを選択的に配置したいという顧客の要望に対応できないという問題を有している。
【０００８】
また、上記各従来例にあっては、加熱庫がコンロ本体内に一体に組み込んであるかまたは外付けで一体に取付けたものなので、加熱庫の保守、点検、交換を行うには、加熱庫付コンロ全体を調理台から取り外し、コンロ本体に取付けた加熱庫の保守、点検を行う必要があり、コンロから独立して保守、点検、交換等が自由に出来ないという問題がある。しかも、加熱庫の交換をする場合は、加熱庫付コンロ全体を交換しなければならないという問題がある。
【先行技術文献】
【特許文献】
【０００９】
【特許文献１】特開２００６−３４４４５５号公報
【発明の概要】
【発明が解決しようとする課題】
【００１０】
本発明は上記の従来例の問題点に鑑みて発明したもので、並列配置した複数の発熱体の下方空間の配分を最適化し、コンロの低背部の下方空間を利用して種々のコンロ下組込機器もしくは家具部材ユニットをコンロから独立して選択的に配置可能で、しかも、コンロの低背部の下方空間に配置するコンロ下組込機器もしくは家具部材ユニットの保守、点検、交換等をコンロに対して独立して行うことができるコンロ付調理台装置を提供することを課題としている。
【課題を解決するための手段】
【００１１】
上記課題を解決するために、本発明は、以下のような構成になっている。
【００１２】
本発明のコンロ付調理台装置は、コンロ２のコンロ本体４を調理台１の上面に設けた上面開口１０から嵌め込んでコンロ本体４上に設けたコンロ天板５を調理台１の上面に露出させて構成する。コンロ２に、複数の発熱体６を並列配置して設けると共に、各々の発熱体６に対応して各々の発熱体６を駆動する各々の駆動部７を内装する。コンロ本体４を、正面断面視で左右方向において高さ寸法が短い低背部８と高さ寸法が長い高背部９とに分かれるように形成する。上記コンロ２とは別体のコンロ下組込機器もしくは家具部材ユニット３を、調理台１の上記コンロ本体４の低背部８直下にコンロ２から独立して配置する。
【００１３】
上記のように、複数の発熱体６と、各々の発熱体６に対応して各々の発熱体６を駆動する各々の駆動部７を内装し、コンロ本体４を、正面断面視で左右方向において高さ寸法が短い低背部８と高さ寸法が長い高背部９とに分かれるように形成することで、並列配置した複数の発熱体６の下方空間の配分を最適化できて、低背部８の下方に、コンロ２とは別体のコンロ下組込機器もしくは家具部材ユニット３を配置するための下方空間Ｓを形成できる。しかも、コンロ２は、コンロ本体４を調理台１の上面に設けた上面開口１０から嵌め込むことで取付け、コンロ２とは別体のコンロ下組込機器もしくは家具部材ユニット３は、調理台１の上記コンロ本体４の低背部８直下にコンロ２から独立して配置するので、低背部８の下方空間Ｓを利用してコンロ２とは別体のコンロ下組込機器もしくは家具部材ユニット３をコンロ２から独立して選択的に配置することが可能で、コンロ２の近くに様々なコンロ下組込機器もしくは家具部材ユニット３を配置したいという顧客の多様な要望に対応できる。また、コンロ２とは別体のコンロ下組込機器もしくは家具部材ユニット３の保守、点検、交換に当たって、コンロ２から独立して該コンロ下組込機器もしくは家具部材ユニット３の保守、点検、交換ができ、また、他のコンロ下組込機器もしくは家具部材ユニット３との交換も容易に行える。
【００１４】
また、上記コンロ２とは別体のコンロ下組込機器もしくは家具部材ユニット３を、上記コンロ本体４の低背部８直下に対応した調理台１の前面開口１１から嵌め込んで上記低背部８直下に配置することが好ましい。
【００１５】
コンロ２とは別体のコンロ下組込機器もしくは家具部材ユニット３を、調理台１の前面開口１１からの嵌め込みという簡単な構成で低背部８直下の下方空間Ｓに配置することができ、コンロ２から独立したコンロ下組込機器もしくは家具部材ユニット３の調理台１への組み込みや、保守、点検、交換のための取り外しが、コンロ２から独立して簡単に行える。
【００１６】
また、上記低背部８の高さ寸法が調理台１のカウンター１３の厚み寸法よりも小さいことが好ましい。
【００１７】
このような構成とすることで、上記のコンロ下組込機器もしくは家具部材ユニット３をカウンター１３直下として構成すると、このコンロ下組込機器もしくは家具部材ユニット３を前面側からコンロ２の低背部８直下に向けて、挿入嵌め付け及び引出し取り外しが自在に行えるものとなる。
【００１８】
また、調理台１の低背部８が嵌め込まれる部分の下方に，上記のコンロ下組込機器もしくは家具部材ユニット３の収容体函部材１２を配置することが好ましい。
【００１９】
このような構成とすることで、コンロ２の低背部８直下に配置するコンロ下組込機器もしくは家具部材ユニット３を、調理台キャビネット部２０の一部を構成する収容体函部材１２に設けることができて、調理台１の構造が簡略化する。
【００２０】
また、低背部８に配置した発熱体６が、高背部９に配置した発熱体６よりも小火力であることが好ましい。
【００２１】
このように複数の発熱体６配置の特定部を小火力とすることで、駆動部７及びこの収容空間の小容積化が容易となり、この下に配置されるコンロ下組込機器もしくは家具部材ユニット３の容積を最大活用できる。また、小火力となることで、駆動部７からの廃熱が少量となり、コンロ下組込機器もしくは家具部材ユニット３への熱影響も低減される。
【００２２】
また、平面視で、低背部８の発熱体６の中心が高背部９の発熱体６の中心よりも奥方向に位置していることが好ましい。
【００２３】
このように低背部８の発熱体６の中心が高背部９の発熱体６の中心よりも奥方向に位置していることで、調理台１前方における下方空間Ｓへの上記発熱体６からの熱影響を低減することができる。また、コンロ本体４の発熱体６より手前の部分の低背化が容易となる。
【００２４】
また、高背部９の手前正面にコンロ２の操作部１４を設けることが好ましい。
【００２５】
このような構成とすることで、コンロ２に関連した構成部材のうち容積の大きいものを高背部９側に集約することで、高背部９と低背部８を左右方向に区分けでき、低背部８の下方空間Ｓを明確に用途区分できる。
【００２６】
また、発熱体６と該発熱体６を駆動する駆動部７を内装した低背部８と、上記発熱体６とは別の発熱体６と該発熱体６を駆動する別の駆動部７を内装した高背部９がそれぞれ独立したコンロ本体ブロック１５で形成され、前記各々のコンロ本体ブロック１５をコンロ天板５に対して左右位置を組換えてコンロ天板５及び両コンロ本体ブロック１５を一体化してコンロ２を構成することが好ましい。
【００２７】
このような構成とすることで、キッチン配置プランの左右勝手を任意に選択し、これに対応して低背部８となったコンロ本体ブロック１５と、高背部９となったコンロ本体ブロック１５との配置を左右選択できて、これにより、低背部８の下方空間Ｓに配置するコンロ下組込機器もしくは家具部材ユニット３の位置をコンロ２の左右のいずれの直下に位置させるかを自由に選択できる。
【００２８】
また、コンロ天板５の手前側もしくはカウンター１３の発熱体６の手前に作業仮置き部１６を設けることが好ましい。
【００２９】
このような構成とすることで、作業仮置き部１６に関連した調味料、仮置き用途の食器、調理道具等の使用位置つまり低背部８直下に設けた空間に収納配置することができる。
【発明の効果】
【００３０】
本発明は、上記のように構成したので、並列配置した複数の発熱体の下方空間の配分を最適化してコンロの低背部の下方に下方空間を形成し、コンロのすぐ近くの使い勝手の良い所に、顧客の要望に応じたコンロとは別体の種々のコンロ下組込機器もしくは家具部材ユニットを選択的に配置することができる。しかも、コンロは調理台の上面に設けた上面開口から嵌め込んで取付け、コンロとは別体のコンロ下組込機器もしくは家具部材ユニットは、調理台の前面開口から嵌め込んで低背部の下方空間に配置するので、コンロ下組込機器もしくは家具部材ユニットをコンロから独立して選択的に配置することが可能で、また、該コンロ下組込機器もしくは家具部材ユニットの保守、点検、交換に当たって、コンロから独立して該コンロ下組込機器もしくは家具部材ユニットのみを調理台の前面開口から取り外して容易に保守、点検、交換ができ、また、他のコンロ下組込機器もしくは家具部材ユニットとの交換も容易に行える。
【図面の簡単な説明】
【００３１】
【図１】本発明の一実施形態の分解斜視図である。
【図２】同上に用いるコンロの斜視図である。
【図３】同上のコンロを調理台に組み込んだ状態を示し、（ａ）は平面図であり、（ｂ）は正面断面図であり、（ｃ）は低背部部分における側面断面図であり、（ｄ）は高背部部分における側面断面図である。
【図４】同上のコンロ下組込機器もしくは家具部材ユニットとして加熱庫を組み込んだ例を示す斜視図である。
【図５】同上の加熱庫を組み込んだ例を示し、（ａ）は正面図であり、（ｂ）は正面断面図であり、（ｃ）は側面断面図である。
【図６】同上のコンロ下組込機器もしくは家具部材ユニットとして物品収納部材を組み込んだ例を示し、（ａ）は正面図であり、（ｂ）は正面断面図であり、（ｃ）は側面断面図である。
【図７】本発明の他の実施形態の分解斜視図である。
【図８】同上の斜視図である。
【図９】本発明の更に他の実施形態を示し、（ａ）は平面図であり、（ｂ）は正面断面図であり、（ｃ）は低背部となったコンロ本体ブロックと、高背部となったコンロ本体ブロックの左右位置を組換えた例を示す平面図である。
【発明を実施するための形態】
【００３２】
以下、本発明を添付図面に示す実施形態に基いて説明する。
【００３３】
本発明のコンロ付調理台装置は、調理台１の上部にコンロ２と、コンロ２以外のコンロ下組込機器もしくは家具部材ユニット３を組み込んで構成している。
【００３４】
ここで調理台１の上部に配設されるコンロ２以外のコンロ下組込機器もしくは家具部材ユニット３とは、例えば、加熱庫３ａ、厨房関連の調味料や調理に使用する道具等を入れるための引出しなどの物品収納部材３ｂ、食器洗浄器３ｃ等を挙げることができるが、必ずしもこれら例示したものにのみ限定されず、コンロ下組込機器もしくは家具部材ユニット３であれば、他の機器やユニットであっても良いのはもちろんである。
【００３５】
調理台１は、調理台キャビネット２０の上にカウンター１３を設けて構成している。
【００３６】
カウンター１３には図１に示すように一側部にコンロ２を嵌め込んで組み込むための上面開口１０が形成してあり、また、他側部にシンク２９を設けてある。
【００３７】
また、調理台キャビネット２０の上部の上記カウンター１３の上面開口１０に対応する部分には、コンロ本体収納キャビネット部２１と収容体函部材１２とが左右方向に並設してある。図１の実施形態では調理台キャビネット２０が、下部キャビネット部３０と、下部キャビネット部３０の上部に設置するコンロ本体収納キャビネット部２１と収容体函部材１２とが別体の例を示しているが、下部キャビネット部３０とその上に設けるコンロ本体収納キャビネット部２１及び収容体函部材１２が一体であってもよい。
【００３８】
コンロ２は、電磁誘導加熱調理機器、あるいはその他の電気、ガス熱源の加熱調理機器であって、左右方向に複数の発熱体６を並列配置している。コンロ２は、図１乃至図３等に示すように、薄箱状をしたコンロ本体４の上面にコンロ天板５を設けて主体を構成している。コンロ本体４内には、複数の発熱体６と、各々の発熱体６に対応して各々の発熱体６を駆動する各々の駆動部７を内装し、更に、複数の発熱体６の駆動部７を制御する制御部２２、駆動部７を冷却する送風ファン２３等を内装している。
【００３９】
コンロ本体４は、正面断面視で左右方向において高さ寸法が短い低背部８と高さ寸法が長い高背部９とに分かれるように形成している。また、低背部８の高さ寸法は調理台１のカウンター１３の厚み寸法よりも小さく設定している。
【００４０】
左右方向に複数並列配置した発熱体６としては、面積の大きい大火力の発熱体６ａと、これよりも面積が小さくて火力が小さい発熱体６ｂとがあり、火力の小さい発熱体６ｂとしては、添付図面に示す実施形態では中火力の発熱体６ｂ１と小火力の発熱体６ｂ２を設けた例が示している。
【００４１】
上記大火力の発熱体６ａとこの大火力の発熱体６ａを駆動する駆動部７はコンロ本体４の高背部９に配置しており、これよりも火力が小さい発熱体６ｂ（実施形態では中火力の発熱体６ｂ１、小火力の発熱体６ｂ２）はコンロ本体４とこれら火力が小さい発熱体６ｂをそれぞれ駆動する駆動部７は、それぞれ低背部８に配置している。低背部８に配置する火力の小さい発熱体６ｂ及びこれに対応する駆動部７はそれぞれ容積を小さくすることで、コンロ本体４の高さ寸法を小さくして低背部８を形成し、これにより、下方空間Ｓの上下寸法を大きく設けることができる。また、小火力の発熱体６ｂについては、必然的に周囲への放熱量も少なく、下方空間Ｓへの伝熱影響も低減もしくは解消することができる。
【００４２】
上記した複数の発熱体６の駆動部７を制御する制御部２２、送風ファン２３等の複数の発熱体６に共通の電装部材は、コンロ本体４の高背部９に集約して配置し、並列配置した複数の発熱体６の下方空間の配分を最適化している。
【００４３】
高背部９内に配置した送風ファン２３は複数の発熱体６の駆動部７側に室内空気を送風して発熱体６及び駆動部７の廃熱を、コンロ天板５の後端部に設けた廃気口２５から排気するようになっている。
【００４４】
ところで、コンロ２に高度な機能を搭載するに当たり、左右方向のすべてにわたって高さ寸法を短くすることは技術的に困難であるが、本発明においては、上記のように、コンロ本体４を左右方向に低背部８と高背部９とを形成することで、左右方向に、明確に構成要件を分け、低背部８の下方に余剰空間を形成し、この新たに形成した余剰空間である低背部８直下の下方空間Ｓにコンロ下組込機器もしくは家具部材ユニット３を配設するために利用できるようにしている。
【００４５】
また、低背部８に配置した面積、火力が小さい発熱体６ｂ（中火力の発熱体６ｂ１、小火力の発熱体６ｂ２）の平面視における後端と、高背部９に配置した面積が大きい大火力の発熱体６ａの平面視における後端をコンロ天板５の前端縁と平行な仮想線上に揃え又は略揃え、平面視で面積、火力が小さい発熱体６ｂの中心を、面積が大きい大火力の発熱体６ａの平面視における中心よりも奥方向に位置させている。
【００４６】
上記の構成のコンロ２は、図３に示すように、調理台１のカウンター１３に設けた上面開口１０からコンロ本体４を嵌め込んでコンロ天板５を調理台１の上面に露出させて取付ける。
【００４７】
この場合、図３（ｂ）、（ｄ）に示すように、コンロ本体４の高背部９がコンロ本体収納キャビネット部２１内に配置される。高背部９を配置したコンロ本体収納キャビネット部２１の正面にはコンロ２の操作部１４が取付けられ、該操作部１４と高背部９に内装した制御部２２とを接続し、操作部１４を操作することで、コンロ２の制御を行うようになっている。添付図面に示す実施形態では操作部１４は、コンロ本体収納キャビネット部２１の正面から前方に突出自在（実施例では回動により前方に突出自在）に取付けてあるが、必ずしもこの例にのみ限定されない。
【００４８】
調理台１にコンロ２を上記のように取付けた場合、低背部８直下の下方空間Ｓに収容体函部材１２が位置し、この収容体函部材１２に内にコンロ２とは別体のコンロ下組込機器もしくは家具部材ユニット３が組み込まれる。
【００４９】
ここで、上記のように低背部８の高さ寸法を調理台１のカウンター１３の厚み寸法よりも小さく設定することで、調理台１にコンロ２を上記のように取付けた場合、図３（ｃ）に示すように、低背部８はカウンター１３の厚み内に収まってカウンター１３の下端よりも下方に突出せず、このため、調理台１の上部を構成する収容体函部材１２の前面開口１１からコンロ下組込機器もしくは家具部材ユニット３を嵌め込んで組み込んだり、該コンロ下組込機器もしくは家具部材ユニット３を前方に取り外したりすることが可能となっている。
【００５０】
図１、図３に示す実施形態では、コンロ２の低背部８直下の下方空間Ｓに位置する収容体函部材１２にコンロ２とは別のコンロ下組込機器もしくは家具部材ユニット３として加熱庫３ａと物品収納部材３ｂを選択的に組み込むことができるようになっている。
【００５１】
図４、図５にはコンロ２の低背部８直下の下方空間Ｓに位置する収容体函部材１２に加熱庫３ａを組み込んだ例を示しており、図６には物品収納部材３ｂを組み込んだ例を示している。
【００５２】
なお、加熱庫３ａを組み込んだ場合、図５（ｃ）に示すように加熱庫３ａの後端部に設けた排気通路２７を、コンロ２の廃気をするためにコンロ天板５に設けた廃気口２５に接続して排気するようにしてもよい。
【００５３】
また、加熱庫３ａを組み込む場合、加熱庫３ａの外郭を構成する加熱庫筐体２４又は収容体函部材１２のいずれかを断熱性に優れた材料で構成し、周囲の物品収納部への熱影響を低減する。
【００５４】
物品収納部材３ｂが引き出しの場合、スライドレール２６の可動側レール部２６ａを引き出しの側面部に取付け、スライドレール２６の固定側レール部２６ｂを収容体函部材１２の側板に取付けることで、引出しを前方に出し入れ自在とする。
【００５５】
ここで、上記のように、低背部８内に配置する発熱体６の火力が小さく、これを駆動する駆動部７からの廃熱が少量であるから、低背部８直下の下方空間Ｓに配置するコンロ下組込機器もしくは家具部材ユニット３への上記駆動部７からの廃熱の影響を無くす又は小さくでき、特に、低背部８直下の下方空間Ｓに配置するコンロ下組込機器もしくは家具部材ユニット３が物品収納部材３ｂの場合、物品収納部材３ｂ内に収納する収納物が駆動部７からの廃熱の影響を受けないようにできる。
【００５６】
また添付図面に示すように、平面視で、低背部８の発熱体６の中心を高背部９の発熱体６の中心よりも奥方向に位置させることで、調理台１の前方から発熱体６を冷却するための空気を取り入れ、後方に位置する発熱体６を冷却して廃気口２５から排出するという空気の流れをスムーズにし、しかも、廃熱の発生源である発熱体６から廃気口２５までの距離を短くでき、また、調理台１前方における下方空間Ｓへの上記発熱体６からの熱影響を低減することができる。
【００５７】
特に、低背部８直下の下方空間Ｓに配置するコンロ下組込機器もしくは家具部材ユニット３が物品収納部材３ｂの場合熱影響を受けないので好適である。
【００５８】
上記各実施形態は、調理台１の上部を構成する収容体函部材１２に前面開口１１を設け、この収容体函部材１２に前面開口１１からコンロ下組込機器もしくは家具部材ユニット３を嵌め込んで組み込むようになっているので、低背部８直下の下方空間Ｓへの厨房関連のコンロ下組込機器もしくは家具部材ユニット３の組み込みが前方からの嵌め込みにより簡単に行え、また、コンロ下組込機器もしくは家具部材ユニット３の保守、点検、交換に当たっても、前面開口１１からコンロ下組込機器もしくは家具部材ユニット３を取り外すことで、簡単に行える。
【００５９】
もちろん、調理台１の上部を構成する収容体函部材１２にあらかじめ一体に厨房関連のコンロ下組込機器もしくは家具部材ユニット３を組み込んでおいてもよい。
【００６０】
添付図面に示す実施形態では、調理台１の上面にはコンロ天板５の手前側もしくはカウンター１３の発熱体６の手前に作業仮置き部１６を設けてある。
【００６１】
上記作業仮置き部１６は、作業仮置き部１６上もしくは上方を利用して、調理に関係した作業を行うことができるだけでなく、コンロを利用した調理作業を行う際に使用する調味料や仮置き用途の食器や調理道具等を仮置きすることができる。
【００６２】
そして、本発明においては、この作業仮置き部１６に載置する調味料、仮置き用途の食器、調理道具等を、低背部８直下に配置した物品収納部材３ｂに収納することができ、作業仮置き部１６とその直下の物品収納部材３ｂとの間で、短い動線で調味料、仮置き用途の食器、調理道具等を物品収納部材３ｂから取り出して作業仮置き部１６に載置したり、あるいは、作業仮置き部１６から物品収納部材３ｂに収納できて、利便性が向上する。
【００６３】
図７、図８には本発明の更に他の実施形態が示してある。本実施形態は、調理台１におけるコンロ２の低背部８直下の下方空間Ｓに、食器洗浄器３ｃと物品収納部材３ｂを配置した例を示している。
【００６４】
本実施形態においては、図７に示すように調理台キャビネット２０の上部の上記カウンター１３の上面開口１０に対応する部分に、コンロ本体収納キャビネット部２１と、収容体函部材１２である物品収納用キャビネット部１２ａ及び食器洗浄器用キャビネット部１２ｂを左右方向に並べて配置している。
【００６５】
本実施形態では、下部キャビネット部３０を、背の高い下部キャビネット部３０ａと背の低い下部キャビネット部３０ｂを並設して構成しており、上記背の高い下部キャビネット部３０ａ上にコンロ本体収納キャビネット部２１と、物品収納用キャビネット部１２ａを左右方向に並列設置すると共に、背の低い下部キャビネット部３０ｂ上に食器洗浄器用キャビネット部１２ｂを設置することでコンロ２下方に位置する調理台キャビネット２０を構成している。
【００６６】
コンロ２は、調理台１のカウンター１３に設けた上面開口１０からコンロ本体４を嵌め込んでコンロ天板５を調理台１の上面に露出させて取付ける。
【００６７】
この場合、コンロ本体４の高背部９が調理台キャビネット２０の上部に配設されるコンロ本体収納キャビネット部２１内に配置される。また、低背部８直下の下方空間Ｓに収容体函部材１２を構成する物品収納用キャビネット部１２ａと食器洗浄器用キャビネット部１２ｂの上部が位置する。
【００６８】
コンロ２の低背部８直下の下方空間Ｓに位置する物品収納用キャビネット部１２ａには前述と同様にして物品収納用キャビネット部１２ａの前面開口１１から物品収納部材３ｂを構成する引き出しを嵌め込んで組み込む。
【００６９】
また、食器洗浄器用キャビネット部１２ｂの前面開口１１から食器洗浄器３ｃを嵌め込んで組み込む。
【００７０】
本実施形態では食器洗浄器３ｃが引き出し式で食器等を上方から出し入れする構成であり、可能な限りカウンター１３上面に近い高さ位置に組み込まれることが好ましい。よって、本実施形態の構成では、食器洗浄器３ｃの上面の高さ位置が、カウンター１３厚み寸法のほぼ直下に位置することができ、食器洗浄器３ｃの取り扱い作業の利便性は優れている。
【００７１】
また、コンロ調理作業の後、食器洗浄等の後片付け作業となり、両作業のタイミングが前後にずれているので、コンロ２の下の最適位置に食器洗浄器３ｃを組み込むできることで、本実施形態の厨房としての利便性は、優れたものとなる。
【００７２】
ここで、コンロ２の低背部８直下の下方空間Ｓに物品収納用キャビネット部１２ａを組み込むことで、食器洗浄器３ｃの一般的な巾寸法と、コンロ２の低背部８の巾の不整合を解消し、コンロ２の低背部８直下の下方空間Ｓを余すことなく有効に活用することができる。
【００７３】
次に、図９に基づいて本発明の他の実施形態を説明する。
【００７４】
本実施形態では、発熱体６（実施形態では小火力の発熱体６ｂ）と該発熱体６を駆動する駆動部７を内装した低背部８と、上記発熱体６（小火力の発熱体６ｂ）とは別の発熱体６（大火力の発熱体６ａ）と該発熱体６を駆動する別の駆動部７を内装した高背部９をそれぞれ独立したコンロ本体ブロック１５として形成し、この２つのコンロ本体ブロック１５（高背部用のコンロ本体ブロック１５ａ、低背部用のコンロ本体ブロック１５ｂ）をコンロ天板５に対して左右位置を組換えてコンロ天板５及び両コンロ本体ブロック１５を一体化してコンロ２を構成している。
【００７５】
高背部用のコンロ本体ブロック１５ａと、低背部用のコンロ本体ブロック１５ｂは、図９（ｂ）のように桟材３１を介して左右ブロックのコンロ天板５同士を密着させて、一体的に連結され、高背部用のコンロ本体ブロック１５ａと低背部用のコンロ本体ブロック１５ｂを連結剛性を高めている。
【００７６】
図９（ａ）においては、左側に高背部用のコンロ本体ブロック１５ａを配置し、右側に低背部用のコンロ本体ブロック１５ｂを配置した例を示しており、図９（ｃ）においては、左側に低背部用のコンロ本体ブロック１５ｂを配置し、右側に高背部用のコンロ本体ブロック１５ａを配置した例を示している。このように、キッチン配置プランの左右勝手に対応して低背部８となった低背部用のコンロ本体ブロック１５ｂと、高背部９となった高背部用のコンロ本体ブロック１５ａとの配置を左右選択でき、低背部８の下方空間Ｓに配置するコンロ下組込機器もしくは家具部材ユニット３（図９（ｂ）では加熱庫３ａの例を示している）の位置をコンロ２の左右のいずれかの直下に選択的に配置できる。
【符号の説明】
【００７７】
１  調理台
２  コンロ
３  コンロ下組込機器もしくは家具部材ユニット
４  コンロ本体
５  コンロ天板
６  発熱体
７  駆動部
８  低背部
９  高背部
１０  上面開口
１１  前面開口
１２  収容体函部材
１３  カウンター
１４  操作部
１５  コンロ本体ブロック
１６  作業仮置き部
【図１】
2011024912.tif 000003
【図２】
2011024912.tif 000004
【図３】
2011024912.tif 000005
【図４】
2011024912.tif 000006
【図５】
2011024912.tif 000007
【図６】
2011024912.tif 000008
【図７】
2011024912.tif 000009
【図８】
2011024912.tif 000010
【図９】
2011024912.tif 000011